(57)【要約】      （修正有）【課題】アクセスポイントにおいてデータパケットを生成する方法を提供する。【解決手段】システム１００において、データパケット１６０は、第１の宛先デバイスへ割り当てられるトーンの第１のセット及び第２の宛先デバイスへ割り当てられるトーンの第２のセットを含む。トーンの第１のセットは、トーンの第２のセットについてオーバラップせず、トーンの第１のセットの各々のトーン及びトーンの第２のセットの各々のトーンは、直交周波数分割多元接続（ＯＦＤＭＡ）トーンである。電気電子技術者協会（ＩＥＥＥ）８０２．１１無線ネットワークを介して第１の宛先デバイスへデータパケットを送信し、ＩＥＥＥ８０２．１１無線ネットワークを介して第２の宛先デバイスへデータパケットを送信する。【選択図】図１
2018198442.tif 000002
【特許請求の範囲】
【請求項１】
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することとを備える方法。
【請求項２】
トーンの前記第１のセットの各々のトーンは、第１の周波数サブバンド内であり、トーンの前記第２のセットの各々のトーンは、第２の周波数サブバンド内である、請求項１に記載の方法。
【請求項３】
トーンの前記第１のセットの第１のトーンは、第１の周波数サブバンド内であり、トーンの前記第１のセットの第２のトーンは、第２の周波数サブバンド内である、請求項１に記載の方法。
【請求項４】
前記データパケットは、レガシー・プリアンブル及び高効率Ｗｉ−Ｆｉ（ＨＥＷ）プリアンブルを含み、前記レガシー・プリアンブルは、レガシー・ロング・トレーニング・フィールド（Ｌ−ＬＴＦ）、レガシー・ショート・トレーニング・フィールド（Ｌ−ＳＴＦ）、及びレガシー・シグナル（Ｌ−ＳＩＧ）フィールドを備え、ここにおいて、前記ＨＥＷプリアンブルは、高効率Ｗｉ−Ｆｉ  ＳＩＧ（ＨＥＷ−ＳＩＧ）フィールドを備える、請求項１に記載の方法。
【請求項５】
前記ＨＥＷ−ＳＩＧフィールドは、トーンの前記第１のセットが、前記第１の宛先デバイスへ割り当てられ、トーンの前記第２のセットが、前記第２の宛先デバイスへ割り当てられることを示す、請求項４に記載の方法。
【請求項６】
前記ＨＥＷプリアンブルは、前記第１の宛先デバイスへ対応する第１のＨＥＷ−ＳＴＦフィールド及び前記第２の宛先デバイスへ対応する第２のＨＥＷ−ＳＴＦフィールドをさらに備える、請求項４に記載の方法。
【請求項７】
前記ＨＥＷプリアンブルは、前記第１の宛先デバイスへ対応する第１のＨＥＷ−ＬＴＦフィールド及び前記第２の宛先デバイスへ対応する第２のＨＥＷ−ＬＴＦフィールドをさらに備える、請求項４に記載の方法。
【請求項８】
トーンの前記第１のセット及びトーンの前記第２のセットは、周波数バンドにわたってインタリーブされる、請求項１に記載の方法。
【請求項９】
前記アクセスポイントにおいてアップリンク通信を受信すること、ここにおいて、前記アップリンク通信は、前記第１の宛先デバイスへ割り当てられた、トーンの前記第１のセット、及び、前記第２の宛先デバイスへ割り当てられた、トーンの前記第２のセットを含む第２の波形を使用して通信され、ここにおいて、前記第２の波形のトーンの前記第１のセットは、前記第１の宛先デバイスによって送信されたデータを含み、およびここにおいて、前記第２の波形のトーンの前記第２のセットは、前記第２の宛先デバイスによって送信されたデータを含む、をさらに備える、請求項１に記載の方法。
【請求項１０】
トーンの前記第１のセットは、前記第１の宛先デバイスへ割り当てられたが、前記第２の宛先デバイスへは割り当てられない、第１のパイロットトーンを含み、トーンの前記第２のセットは、前記第２の宛先デバイスへ割り当てられたが、前記第１の宛先デバイスへは割り当てられない、第２パイロットトーンを含む、請求項１に記載の方法。
【請求項１１】
少なくとも１つのパイロットトーンは、前記第１の宛先デバイス及び前記第２の宛先デバイスへ割り当てられる、請求項１に記載の方法。
【請求項１２】
トーンの前記第１のセットは、前記第１の宛先デバイスへ割り当てられた少なくとも２つのパイロットトーン及び少なくとも１２個のデータトーンを含む、請求項１に記載の方法。
【請求項１３】
トーンの前記第１のセットは、前記第１の宛先デバイスへ割り当てられた、３６、７２、１２０、１５６、又は３１２個のデータトーンを含む、請求項１に記載の方法。
【請求項１４】
前記波形は、第３の宛先デバイスへ割り当てられる、トーンの第３のセットをさらに含み、ここにおいて、トーンの前記第３のセットは、トーンの前記第１のセット及びトーンの前記第２のセットについてオーバラップしない、請求項１に記載の方法。
【請求項１５】
前記波形は、第４の宛先デバイスへ割り当てられる、トーンの第４のセットをさらに含み、ここにおいて、トーンの前記第４のセットは、トーンの前記第１のセット、トーンの前記第２のセット、及びトーンの前記第３のセットについてオーバラップしない、請求項１４に記載の方法。
【請求項１６】
プロセッサと、
前記プロセッサによって実行された場合、前記プロセッサに動作を実行させる命令を記憶したメモリと、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することと
を備える、を備える装置。
【請求項１７】
前記データパケットのプリアンブルの高効率Ｗｉ−Ｆｉシグナル（ＨＥＷ−ＳＩＧ）フィールドは、トーンの前記第１のセットが、前記第１の宛先デバイスへ割り当てられ、トーンの前記第２のセットが、前記第２の宛先デバイスへ割り当てられることを示す、請求項１６に記載の装置。
【請求項１８】
前記第１の宛先デバイス及び前記第２の宛先デバイスは、各々、最小処理帯域幅に関連付けられる、請求項１６に記載の装置。
【請求項１９】
前記最小処理帯域幅は、５メガヘルツ（ＭＨｚ）である、請求項１８に記載の装置。
【請求項２０】
トーンの前記第１のセットは、前記第１の宛先デバイスへ割り当てられた１２個のデータトーンを含む、請求項１６に記載の装置。
【請求項２１】
トーンの前記第１のセットは、前記第１の宛先デバイスへ割り当てられた２つのパイロットトーンを含む、請求項１６に記載の装置。
【請求項２２】
前記メモリは、前記データパケットの生成の間使用される少なくとも１つのトーン割り当てパラメータをさらに記憶する、請求項１６に記載の装置。
【請求項２３】
前記少なくとも１つのトーン割り当てパラメータは、どのデータトーンが前記第１の宛先デバイスへ割り当てられるべきであるかを示す、請求項２２に記載の装置。
【請求項２４】
前記少なくとも１つのトーン割り当てパラメータは、どのパイロットトーンが前記第１の宛先デバイスへ割り当てられるべきであるかを示す、請求項２２に記載の装置。
【請求項２５】
前記少なくとも１つのトーン割り当てパラメータは、パイロットトーンが前記第１の宛先デバイス及び前記第２の宛先デバイスへ割り当てられるべきものであることを示す、請求項２２に記載の装置。
【請求項２６】
コンピュータによって実行されるとき、前記コンピュータに動作を実行させる命令を備える非一時的なコンピュータ可読媒体であって、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することとを備える、非一時的なコンピュータ可読媒体。
【請求項２７】
トーンの前記第１のセットは、前記第１の宛先デバイスへ割り当てられる少なくとも２つのパイロットトーン及び少なくとも１２個のデータトーンを含む、請求項２６に記載の非一時的なコンピュータ可読媒体。
【請求項２８】
トーンの前記第１のセットは、前記第１の宛先デバイスへ割り当てられた、３６、７２、１２０、１５６、又は３１２個のデータトーンを含む、請求項２６に記載の非一時的なコンピュータ可読媒体。
【請求項２９】
アクセスポイントにおいてデータパケットを生成するための手段と、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイス及び前記第２の宛先デバイスへ前記データパケットを送信するための手段とを備える、装置。
【請求項３０】
トーンの前記第１のセットは、前記第１の宛先デバイスへ割り当てられる１２個のデータトーンを含む、請求項２９に記載の装置。
【発明の詳細な説明】
【技術分野】
【０００１】
［関連出願の相互参照］
[0001]本願は、２０１３年８月２８日に出願された米国仮特許出願第６１／８７１，２２１号及び２０１４年８月２５日に出願された米国非仮出願第１４／４６７,７７９号からの優先権を主張し、その内容は、ここにその全文を参照により明確に組み込まれる。
【０００２】
[0002]本開示は、一般に、多元接続無線ネットワーク内のトーンを割り当てることに関連する。
【背景技術】
【０００３】
[0003]技術における進歩は、より小型で、より強力な計算デバイスをもたらした。例えば、現在は、携帯無線電話、携帯情報端末（ＰＤＡ）、ページングデバイスといった、無線コンピューティングデバイスを含む、多様な携帯パーソナルコンピューティングデバイスがあり、それらは、小型で軽量、そしてユーザによる持ち運びが容易である。より具体的には、セルラ電話およびインターネットプロトコル（ＩＰ）電話のような携帯用ワイヤレス電話は、無線ネットワーク上で音声およびデータパケットを通信することができる。さらに、多くのこのような無線電話は、そこに組み込まれる他のタイプのデバイスを含む。例えば、無線電話は、デジタルスチルカメラ、デジタルビデオカメラ、デジタルレコーダ、およびオーディオファイルプレーヤも含むことができる。また、このような無線電話は、インターネットにアクセスするために使用されることができるウェブブラウザアプリケーションなどのソフトウェアアプリケーションを含む実行可能な命令を処理することができる。このように、これらの無線電話は、重要なコンピュータ機能を含み得る。
【０００４】
[0004]様々な無線プロトコル及び標準は、無線電話及び他の無線デバイスによる使用のために利用可能であり得る。例えば、通常、「Ｗｉ−Ｆｉ」として言及される、電気電子技術者協会（ＩＥＥＥ）８０２．１１は、無線ローカルエリアネットワーク（ＷＬＡＮ）通信プロトコルの標準化されたセットである。Ｗｉ−Ｆｉプロトコルにおいて、無線デバイス間で送信されたデータは、直交周波数分割多重（ＯＦＤＭ）に従って、通信され得る。ＯＦＤＭにおいて、パケットは、典型的に、ソースデバイスによって、特定の宛先デバイスへ送信される。
【発明の概要】
【０００５】
[0005]高効率Ｗｉ−Ｆｉ（ＨＥＷ）は、あるユースケースにおける効率及び動作パフォーマンスを改善するために、Ｗｉ−Ｆｉ標準へ潜在的な更新及び改正を研究するためのＩＥＥＥ８０２．１１研究グループ（ＳＧ）である。直交周波数分割多元接続（ＯＦＤＭＡ）は、パフォーマンスを改善するためにＨＥＷに関して使用され得るシステム設計のタイプである。ＯＦＤＭＡは、異なるトーン（例えば、周波数範囲又は「サブキャリア」）が、ユーザごと（例えば、宛先デバイスごと）基準で割り当てられる、ＯＦＤＭのマルチユーザ版である。
【０００６】
[0006]Ｗｉ−ＦｉにＯＦＤＭＡを組み込むために、様々なＯＦＤＭＡ物理レイヤ（ＰＨＹ）パラメータ及び設計は、使用され得る。本開示は、無線通信（例えば、ＩＥＥＥ８０２．１１）システムを用いる使用のためのＯＦＤＭＡトーン割り当てプランを提供する。
【０００７】
[0007]特定の実施形態において、方法は、アクセスポイントにおいてデータパケットを生成することを含む。データパケットは、第１の宛先デバイスへ割り当てられるトーンの第１のセット及び第２の宛先デバイスへ割り当てられるトーンの第２のセットを含む波形を使用して通信されるべきものであり、ここで、トーンの第１のセットは、トーンの第２のセットについてオーバラップせず、及びトーンの第１のセットの各トーン及びトーンの第２のセットの各トーンは、ＯＦＤＭＡトーンである。方法は、電気電子技術者協会（ＩＥＥＥ）８０２．１１無線ネットワークを介して第１の宛先デバイスへデータパケットを送信することと、及び、ＩＥＥＥ８０２．１１無線ネットワークを介して第２の宛先デバイスへデータパケットを送信することとをも含む。例えば、ＩＥＥＥ８０２．１１無線ネットワークは、少なくとも１つのＩＥＥＥ８０２．１１標準に準拠しているネットワークであり得る。
【０００８】
[0008]別の特定の実施形態において、方法は、ＩＥＥＥ８０２．１１無線ネットワークを介してアクセスポイントにおいてアップリンク通信（例えば、アップリンクデータパケットへ対応する）を受信することを含む。アップリンク通信は、第１の宛先デバイスへ割り当てられたトーンの第１のセット及び第２の宛先デバイスへ割り当てられたトーンの第２のセットを含む波形を使用して通信される。トーンの第１のセットは、第１の宛先デバイスによって送信されるデータを含み、及び、トーンの第２のセットは、第２の宛先デバイスによって送信されたデータを含む。
【０００９】
[0009]別の特定の実施形態において、方法は、電気電子技術者協会（ＩＥＥＥ）８０２．１１無線ネットワークを介して、アクセスポイントから複数の宛先デバイスの各々へデータパケットを送信することを含む。データパケットは、単一の宛先デバイスへ割り当てられた少なくとも１つのパイロットトーンを含む波形を使用して通信される。一例において、データパケットは、宛先デバイスごとに２つのパイロットトーンを含みうる。
【００１０】
[0010]別の特定の実施形態において、方法は、電気電子技術者協会（ＩＥＥＥ）８０２．１１無線ネットワークを介して、アクセスポイントから複数の宛先デバイスの各々へデータパケットを送信することを含む。データパケットは、マルチプルな宛先デバイスへ割り当てられる少なくとも１つのパイロットトーンを含む波形を使用して通信される。
【００１１】
[0011]別の特定の実施形態において、方法は、電気電子技術者協会（ＩＥＥＥ）８０２．１１無線ネットワークを介して、アクセスポイントから複数の宛先デバイスの各々へデータパケットを送信することを含む。データパケットは、宛先デバイスごとに１２個のデータトーンを含む波形を使用して通信される。一例において、データパケットは、２０メガヘルツ（ＭＨｚ）チャネル（例えば、２０ＭＨｚ帯域幅を有するチャネル）上で送信される。
【００１２】
[0012]別の特定の実施形態において、方法は、電気電子技術者協会（ＩＥＥＥ）８０２．１１無線ネットワークを介して、アクセスポイントから複数の宛先デバイスの各々へデータパケットを送信することを含む。データパケットは、宛先デバイスごとに３６、７２、１２０、１５６又は３１２個のデータトーンを含む波形を使用して通信される。
【００１３】
[0013]別の特定の実施形態において、方法は、宛先デバイスにおいて、ＩＥＥＥ８０２．１１無線ネットワークを介してアクセスポイントからデータパケットを受信することを含む。データパケットは、複数の宛先デバイスの各々へ向けられたデータを含む。方法は、データパケット（例えば、ＨＥＷシグナル（ＨＥＷ−ＳＩＧ）フィールド）のプリアンブルに基づいて、宛先デバイスへ割り当てられるデータトーンのセットを識別することも含む。方法は、宛先デバイスへ向けられたデータを決定するためにデータトーンのセットを処理することをさらに含む。一例において、宛先デバイスの各々は、最小ＨＥＷ処理帯域幅（例えば、５ＭＨｚ）に関連付けられる。
【００１４】
[0014]別の特定の実施形態において、方法は、Ｍ個のデータトーンをインタリーブするように構成された第２のインタリーバに基づいて、Ｎ個のデータトーンをインタリーブするように構成された第１のインタリーバの第１のインタリーバ出力を決定することを含む。Ｎは、１以上の整数であり、Ｍは、Ｎより大きい整数である。決定することは、第２のインタリーバ出力を生成するために、Ｎ個のデータトーン及びＭ−Ｎ個のゼロデータトーンを第２のインタリーバに入力することを含む。決定することは、また、第１のインタリーバ出力を生成するために、第２のインタリーバ出力からＭ−Ｎ個のゼロデータトーンを取り除くことを含む。
【００１５】
[0015]開示された実施形態の少なくとも１つによって提供されるある特定の利点は、ＩＥＥＥ８０２．１１無線ネットワーク上で通信するために、ソースデバイス（例えば、アクセスポイント）及び宛先デバイスによる使用のための物理レイヤ（ＰＨＹ）ＯＦＤＭＡパラメータの有効性である。例えば、本明細書で説明される選択されたパラメータは、無線標準（例えば、ＩＥＥＥ８０２．１１標準）等によって標準化された、ソース及び宛先デバイスのメモリに記憶され得る。「未知の」インタリーバに関するインタリーバパラメータのような、他のパラメータは、「既知の」インタリーバの「既知の」パラメータから動的に決定され得る。本開示の他の態様、利点、および特徴が、下記のセクション：図面の簡単な説明、詳細な説明、および特許請求の範囲、を含む本願全体のレビュー後に明らかになるであろう。
【図面の簡単な説明】
【００１６】
【図１】[0016]  図１は、多元接続無線ネットワークのためのトーン割り当てを実行するように動作可能なシステムの特定の実施形態を説明するための略図である。
【図２】[0017]  図２は、多元接続パケット内のトーン割り当ての特定の例を説明するための略図である。
【図３】[0018]  図３は、多元接続パケット内のトーン割り当ての別の特定の例を説明するための略図である。
【図４】[0019]  図４は、多元接続パケット内のトーン割り当ての別の特定の例を説明するための略図である。
【図５】[0020]  図５は、多元接続パケット内のトーン割り当ての追加的な例を説明するための略図である。
【図６】[0021]  図６は、トーン割り当てに関連付けられた、インターリーバパラメータを決定することの特定の実施形態を説明するための略図である。
【図７】[0022]  図７は、図１のシステムにおける動作の方法の特定の実施形態を説明するためのフローチャートである。
【図８】[0023]  図８は、図１のシステムにおける動作の方法の別の特定の実施形態を説明するためのフローチャートである。
【図９】[0024]  図９は、トーン割り当てに関連付けられた、インターリーバパラメータを決定することの方法の特定の実施形態を説明するためのフローチャートである。
【図１０】[0025]  図１０は、本願の明細書で開示される、１つ又は複数の方法、システム、装置、及び／又はコンピュータ可読媒体の様々な実施形態をサポートするように動作可能な無線デバイスの略図である。
【発明の詳細な説明】
【００１７】
[0026]図１を参照すると、多元接続無線ネットワークに対するトーン割り当てを実行するように動作可能なシステムは示され、及び一般に指定された１００である。システム１００は、無線ネットワーク１５０を介して複数の宛先デバイス１２０、１３０、及び１４０と無線で通信するように構成されたソースデバイス１１０を含む。例示的な実施形態において、ソースデバイス１１０は、アクセスポイントであり、宛先デバイス１２０、１３０、及び１４０の１つまたは複数は、局である。代替の実施形態において、異なる数及び種類のソースデバイス及び／又は宛先デバイスは、システム１００に含まれる。例えば、システム１００に含まれ得る宛先デバイスの追加の種類は、限定されるのではないが、センサー及び受信機を含む。
【００１８】
[0027]特定の実施形態において、無線ネットワーク１５０は、電気電子技術者協会（ＩＥＥＥ）８０２．１１無線ネットワーク（例えば、Ｗｉ−Ｆｉネットワーク）である。例えば、無線ネットワーク１５０は、ＩＥＥＥ８０２．１１標準に従って動作しうる。例示的な実施形態において、無線ネットワーク１５０は、８０２．１１高効率Ｗｉ−Ｆｉ（ＨＥＷ）ネットワークである。特定の実施形態において、無線ネットワーク１５０は、多元接続通信をサポートする。例えば、無線ネットワーク１５０は、宛先デバイス１２０、１３０、及び１４０の各々へ単一パケット１６０（例えば、データパケット）の通信をサポートし得、ここで、単一パケット１６０は、宛先デバイスの各々へ向けられた個別データ部分を含む。１つの例において、パケット１６０は、本明細書でさらに説明されるように、直交周波数分割多元接続（ＯＦＤＭＡ）パケットであり得る。
【００１９】
[0028]ソースデバイス１１０は、アクセスポイント（ＡＰ）、或いは、マルチプルな宛先デバイスへ多元接続パケット（複数を含む）を生成及び送信するように構成された他のデバイスでありうる。特定の実施形態において、ソースデバイス１１０は、プロセッサ１１１（例えば、中央処理ユニット（ＣＰＵ）、デジタルシグナルプロセッサ（ＤＳＰ）、ネットワーク処理ユニット（ＮＰＵ）、等）、メモリ１１２（例えば、ランダムアクセスメモリ（ＲＡＭ）、読み出し専用メモリ（ＲＯＭ）、等）、及び、無線ネットワーク１５０を介してデータを送信及び受信するように構成された無線インターフェース１１５を含む。メモリ１１２は、パケット１６０を生成するために、パケット生成器１１４によって使用されるトーン割り当てパラメータ１１３（例えば、ＯＦＤＭＡ物理レイヤ（ＰＨＹ）トーン割り当てパラメータ）を記憶しうる。パケット生成器１１４は、単一接続パケット並びに多元接続パケットを生成し得る。
【００２０】
[0029]パケット（例えば、パケット１６０）は、無線媒体を介して通信され、パケットは、固定の時間期間の間固定の周波数帯域を介して変調される波形を使用して通信され得る。周波数帯域は、１つ又は複数の「トーン」に分割され得、時間期間は、１つ又は複数の「シンボル」に分割され得る。例示的な非限定的な例として、２０ＭＨｚ周波数帯域は、４つの５ＭＨｚトーンに分割され得、８０μ秒期間は、２０個の４マイクロ秒シンボルに分割され得る。したがって、「トーン」は、波形に含まれる周波数サブ帯域を表し得る。トーンは、代わりにサブキャリアと称され得る。「トーン」は、したがって、周波数領域ユニットであり得る。「シンボル」は、波形に含まれる時間の持続期間を表す時間領域ユニットであり得る。無線パケットに関する波形は、したがって、マルチプルなトーン及びマルチプルなシンボルを含む２次元構造として視覚化され得る。図２乃至４で例示され、本明細書でさらに説明されるパケット例に関して、トーンは、垂直軸上に例示され、シンボルは、水平軸上に例示される。
【００２１】
[0030]例として、無線デバイスは、２０メガヘルツ（ＭＨｚ）無線チャネル（例えば、２０ＭＨｚ帯域幅を有するチャネル）を介してパケットを受信し得る。無線デバイスは、パケットの波形に６４トーンを決定するために、６４点高速フーリエ変換（ＦＦＴ）を実行し得る。トーンのサブセットは、「使用可能」とみなされ得、残りのトーンは、「使用不可」（例えば、ガードトーン、直流（ＤＣ）トーン等であり得る）とみなされ得る。例示するために、５２データトーン及び４パイロットトーンを含む、６４トーンのうちの５６個が使用可能であり得る。別の例として、４８データトーン及び４パイロットトーンがありうる。前述のチャネル帯域幅、変換、及びトーンプランは、例であることに留意すべきである。代替の実施形態において、異なるチャネル帯域幅（例えば、５ＭＨｚ、６ＭＨｚ、６．５ＭＨｚ、４０ＭＨｚ、８０ＭＨｚ、等）、異なる変換（例えば、２５６点ＦＦＴ、１０２４点ＦＦＴ、等）、及び／又は異なるトーンプランが使用され得る。
【００２２】
[0031]特定の実施形態において、トーン割り当てパラメータ１１３は、どのデータトーン及び／又はパイロットトーンが個別の宛先デバイス又は宛先デバイスの組合せへ割り当てられるべきものであるかを決定するために、多元接続パケットの生成の間、パケット生成器１１４によって使用され得る。例えば、パケット１６０は、トーンのオーバーラップしないセットを含む波形を使用して通信され得、ここで、トーンのオーバーラップしないセットの各々は、個別の宛先デバイス１２０、１３０、又は１４０へ割り当てられる。例示のために、パケット１６０の通信は、図２を参照してさらに説明されるように、周波数ホッピングを用いない局所化されたトーン割り当てを利用し得る。代わりに、パケット１６０の通信は、図３を参照してさらに説明されるように、周波数ホッピングを用いて局所化されたトーン割り当てを利用し得る。別の実施形態において、パケット１６０の通信は、図４を参照してさらに説明されるように、インターリーブされたトーン割り当てを利用し得る。トーン割り当てプランのさらなる例は、図５を参照して説明される。
【００２３】
[0032]宛先デバイス１２０、１３０、及び１４０は、プロセッサ（例えば、プロセッサ１２１）、メモリ（例えば、メモリ１２２）、及び無線インターフェース（例えば、無線インターフェース１２５）を各々含み得る。宛先デバイス１２０、１３０、及び１４０は、また、パケット生成器１１４を参照して説明されるように、パケット（例えば、単一接続パケット又は多元接続パケット）を生成するように構成されたパケット生成器１２４を各々含み得る。一例において、メモリ１２２は、1つの割り当てパラメータ１１３と全く一致しているトーン割り当てパラメータ１２３を記憶し得る。
【００２４】
[0033]動作中、ソースデバイス１１０は、無線ネットワーク１５０を介して宛先デバイス１２０、１３０、及び１４０の各々へパケット１６０を生成及び送信し得る。パケット１６０は、トーンのオーバーラップしないセットを含む波形を使用して通信され得、ここで、トーンの各々のセットは、個別の宛先デバイスへ割り当てられる。例えば、トーンの第１のセットは、第１の宛先デバイス１２０へ割り当てら得、トーンの第２のセットは、第２の宛先デバイス１３０へ割り当てられ得、及びトーンの第３のセットは、第3の宛先デバイス１４０へ割り当てられ得る。各トーンは、ＯＦＤＭＡトーンであり得、トーンの第１のセット、トーンの第２のセット、及びトーンの第３のセットは、互いに関してオーバーラップしない。特定の実施形態において、パイロットトーンは、図４を参照して説明されるように、マルチプルな宛先デバイスへ割り当てられ得る。代わりに、パイロットトーンは、図２を参照して説明されるように、デバイス毎基準で割り当てられ得る。
【００２５】
[0034]したがって、図1のシステム１００は、ＩＥＥＥ８０２．１１無線ネットワークを渡って通信するために、ソースデバイス及び宛先デバイスによる使用のために物理レイヤ（ＰＨＹ）ＯＦＤＭＡパラメータを提供し得る。例えば、トーン割り当てパラメータ１１３、１２３（又はそれらの部分）は、示されるように、ソース及び宛先デバイスのメモリ内に記憶され得、無線標準（例えば、ＩＥＥＥ８０２．１１標準）、等によって標準化され得る。本明細書で説明される様々なトーン割り当てプランは、ダウンリンク（ＤＬ）並びにアップリンク（ＵＬ）ＯＦＤＭＡ通信の両方のために適用可能であり得ることを留意すべきである。
【００２６】
[0035]例えば、ソースデバイス１１０（例えば、アクセスポイント）は、無線ネットワーク１５０を介してアップリンク通信を受信し得る。アップリンク通信は、宛先デバイス１２０、１３０、及び１４０へ割り当てられたトーンのセットを含む第２の波形を使用して通信され得る。トーンの各セットは、対応する宛先デバイス１２０、１３０、及び１４０によって送信されたデータを含み得る。例えば、トーンの第１のセットは、第１の宛先デバイス１２０によってソースデバイス１１０へ送信されたデータを含み得、トーンの第２のセットは、第２の宛先デバイス１３０によってソースデバイス１１０へ送信されたデータを含み得、トーンの第３のセットは、第３の宛先デバイス１４０によってソースデバイス１１０へ送信されたデータを含み得る。例示的な実施形態において、アップリンク通信は、図２乃至５の１つ又は複数を参照して説明されるように、トーン割り当てを有し得る。
【００２７】
[0036]図２は、周波数ホッピングを用いない局所化されたトーン割り当てを有する4つの局（例えば、４つの宛先デバイス）ＯＦＤＭＡパケット２００の例を例示する。例示的な実施形態において、パケット２００は、図１のパケット１６０であり得る。図２の例において、パケット２００は、２０ＭＨｚパケットである。代わりの実施形態において、パケット２００は、より大きい又はより小さい帯域幅を占有し得る。
【００２８】
[0037]図２に示されるように、パケット２００は、レガシーショートトレーニングフィールド（Ｌ−ＳＴＦ）、レガシーロングトレーニングフィールド（Ｌ−ＬＴＦ）、及びレガシーシグナル（Ｌ−ＳＩＧ）フィールドを含み得る。Ｌ−ＳＴＦ、Ｌ−ＬＴＦ、及びＬ−ＳＩＧフィールドは、パケット２００のレガシープリアンブルとして集合的に称され得る。特定の実施形態において、レガシープリアンブルは、たとえレガシーデバイスがレガシープリアンブルに後続するパケット２００の部分を処理することができなくとも、パケット２００を検出することをレガシーデバイス（例えば、非ＨＥＷデバイス）に可能にする。レガシーデバイスの例は、これらに限定されないが、ＩＥＥＥ８０２．１１  ａ／ｂ／ｇ／ｎ／ａｃデバイスを含み得る。たとえレガシーデバイスがレガシープリアンブルに後続するパケット２００の部分を処理できなくとも、レガシープリアンブルは、パケット２００の持続時間中、レガシーデバイスが無線媒体を混雑させることを控えるために使用され得る。例えば、レガシープリアンブルは、持続時間フィールドを含み得、及びレガシーデバイスは、持続時間フィールドによって示された持続時間の間媒体を混雑させることを控え得る。レガシーデバイスは、パケット２００のプリアンブル内の「既知の」ロケーション、長さ、及び／又はフィールドの内容に基づいてＬ−ＳＴＦ、Ｌ−ＬＴＦ、及びＬ−ＳＩＧフィールドとを認識し、区別し得る。例えば、ロケーション、及び／又はＬ−ＳＴＦ、Ｌ−ＬＴＦ、及びＬ−ＳＩＧフィールドの内容は、ＩＥＥＥ  ８０２．１１  ａ／ｂ／ｇ／ｎ／ａｃ標準などのような、無線プロトコル又は標準によって設定され得る。
【００２９】
[0038]パケット２００は、また、示されるように、ＨＥＷ−ＳＩＧフィールド、1つ又は複数のＨＥＷ−ＳＴＦフィールド、1つ又は複数のＨＥＷ−ＬＴＦフィールド、及びユーザ毎のデータ／パイロットトーンを含み得る。デバイスは、パケット２００内の、「既知の」ロケーション、長さ、及び／又はフィールドの内容に基づいて、ＨＥＷ−ＳＴＦ、ＨＥＷ−ＬＴＦ、及びＨＥＷ−ＳＩＧフィールドとを認識及び区別し得る。例えば、ロケーション、長さ、及び／又はＨＥＷ−ＳＴＦ、ＨＥＷ−ＬＴＦ、及びＨＥＷ−ＳＩＧフィールドの内容は、ＩＥＥＥ  ８０２．１１ＨＥＷ標準などのような、無線プロトコル又は標準によって設定され得る。
【００３０】
[0039]図２において、4つの局パケット２００は、4つの局の各々に関して、ＨＥＷ−ＳＴＦフィールド及びＨＥＷ−ＬＴＦフィールドを含む。パケット２００は、また、４つの局の各々に関して局所化されたトーン割り当てを含む。例示のために、トーンの第１の連続的なセットＵＳＥＲ−１は、第１の局へ割り当てられ、第1の局のためのデータトーン及びパイロットトーン（例えば、ユーザ毎のパイロットトーン）を含む。図２の例において、ＵＳＥＲ−１トーンの各々は、第１の５ＭＨｚ周波数サブ帯域内にある。トーンの第２の連続的なセットＵＳＥＲ−２は、第２の局へ割り当てられ、ここで、各ＵＳＥＲ−２トーンは、第２の５ＭＨｚ周波数サブ帯域内にある。トーンの第３の連続的なセットＵＳＥＲ−３は、第３の局へ割り当てられ、ここで、各ＵＳＥＲ−３トーンは、第３の５ＭＨｚ周波数サブ帯域内にある。トーンの第４の連続的なセットＵＳＥＲ−４は、第４の局へ割り当てられ、ここで、各ＵＳＥＲ−４トーンは、第４の５ＭＨｚ周波数サブ帯域内にある。トーンの第１の、第２の、第３の、第４のセットは、互いに関してオーバーラップしない。例示的な例において、各局は、１２個のデータトーン及び２つのパイロットトーンを割り当てられ得る。図２において、局所化されたトーン割り当ては、周波数ホッピングを用いないで実行される。すなわち、特定の局に割り当てられた各トーンは、同じ５ＭＨｚ周波数サブ帯域内にある。パイロットトーンが、宛先デバイス毎基準で割り当てられるとき、各パイロットトーンは、単一の宛先デバイスへ割り当てられ得る。例えば、第１のパイロットトーンは、第１の局（第２の、第３の、又は第４の局ではなく）へ割り当てられ得、第２のパイロットトーンは、第２の局（第１の、第３の、又は第４の局）、等へ割り当てられ得る。代替の実施形態において、局所化されたトーン割り当ては、図３に関して例示されるように、周波数ホッピングを用いて実行され得る。
【００３１】
[0040]特定の実施形態において、ＨＥＷ−ＳＩＧフィールドは、トーン割り当て情報を含み得る。受信デバイス（例えば、４つの局のうちの１つ）は、どのトーン（データ及びパイロット）が、その受信デバイスへ割り当てられるかを識別するために、トーン割り当て情報を使用し得る。受信デバイスは、その受信デバイスへ向けられた識別されたトーンを（例えば、復調、復号、等を実行することによって）処理し得る。代替の実施形態において、１つ又は複数のパイロットトーンは、図４を参照して説明されるように、マルチプルな受信デバイスへ割り当てられ得る。
【００３２】
[0041]特定の実施形態において、周波数ホッピングを伴わない局所化されたトーン割り当てが、ユーザパイロットごとに使用されるとき、受信デバイスは、ＨＥＷ−ＳＩＧフィールドを処理した後より小さい帯域幅処理へ切り替わる。より小さい帯域幅処理への切り替えは、電力を節約し得る。例示のために、各受信局は、パケット２００に関して２０ＭＨｚ処理を最初に実行し得る。ＨＥＷ−ＳＩＧフィールドを処理した後（例えば、高効率Ｗｉ−Ｆｉショートトレーニングフィールド（ＨＥＷ−ＳＴＦ）の間）、各受信局は、５ＭＨｚ処理へ切り替え得、及びそれらの割り当てられたトーンを処理のみし得る。
【００３３】
[0042]図３は、周波数ホッピングを伴う局所化されたトーン割り当てを有する４つの局ＯＦＤＭＡパケット３００の例を例示する。例示的な実施形態において、パケット３００は、図１のパケット１６０である。
【００３４】
[0043]図３に示されるように、パケット３００は、Ｌ−ＳＴＦフィールド、Ｌ−ＳＴＦフィールド、Ｌ−ＳＩＧフィールド、ＨＥＷ−ＳＩＧフィールド、並びにユーザ毎のＨＥＷ−ＳＴＦ及びＨＥＷ−ＬＴＦフィールドを含み得る。パケット３００は、ユーザ毎のデータ／パイロットトーンを含みもし得る。周波数ホッピングを伴わない局所化されたトーン割り当てを例示する、図２に対比して、図３は、特定の宛先デバイスへ割り当てられたトーンが、シンボルにわたって周波数ホップする局所化されたトーン割り当てを例示する。例示するために、１つ又は複数の第１のシンボル３０１中の、第１の局（ＵＳＥＲ−１）へ割り当てられた第１のトーンは、第１の周波数サブ帯域内にあり、１つ又は複数の第２のシンボル３０２中の、第１の局に割り当てられた第２のトーンは、第２の周波数サブ帯域内にある。同様に、第２の、第３の、第４の局（ＵＳＥＲ−２、ＵＳＥＲ−３及びＵＳＥＲ−４）へ割り当てられたトーンも周波数ホップする。例示の簡便化のために、ラウンドロビン周波数ホッピングパターンが図３に示される。代替の実施形態において、異なる周波数ホッピングパターンは、使用され得る（例えば、ランダムホッピングパターンは、生成され、使用され得る。）。特定の実施形態において、周波数ホッピングは、無線システムにおいて全体のパフォーマンスを改善し得る、周波数ダイバーシティを提供し得る。
【００３５】
[0044]図４は、インタリーブされたトーン割り当てを伴う４つの局ＯＦＤＭＡパケット４００の例を例示する。例示的な実施形態において、パケット４００は、図１のパケット１６０であり得る。
【００３６】
[0045]図４に示されるように、各宛先デバイスへ割り当てられたトーンは、パケット４００を通信するために使用される波形の周波数帯域にわたってインタリーブされ得る。例えば、第１の宛先デバイス（例えば、ＵＳＥＲ−１）へ割り当てられたトーンの第１のセットは、周波数帯域にわたって第２の宛先デバイス（例えば、ＵＳＥＲ−２）へ割り当てられたトーンの第２のセットとインタリーブされ得る。１つ又は複数の「共通」パイロットトーンは、示されるように、全ての局へ割り当てられ得る。
【００３７】
[0046]特定の実施形態において、同じパイロットスキームは、アップリンク（ＵＬ）及びダウンリンク（ＤＬ）シナリオの両方内で使用され得る。代わりに、異なるパイロットスキームは、ＵＬ及びＤＬシナリオ内で使用され得る。例えば、ユーザ毎（例えば、局毎）のパイロットは、ＵＬ通信のために使用され得、共通パイロットは、ＤＬ通信のために使用され得る。共通パイロットがＤＬ通信のために使用されるとき、各局は、全ての共通パイロットトーンが処理されることができるように、パケットによって占有された全体の帯域幅にわたってＦＦＴを実行し得る。
【００３８】
[0047]図４が共通パイロットトーンを例示する一方で、図２乃至３がユーザ毎（例えば、局毎）のパイロットトーンを例示することは理解されるであろう。代替の構成において、共通のパイロットトーンは、局所化されたトーン割り当てで使用され得、ユーザ毎のパイロットトーンは、インタリーブされたトーン割り当てで使用され得る。特定の実施形態において、ユーザ毎のパイロットトーンが使用されるとき、各ユーザは、少なくともパイロットトーンの最小数を割り当てられ得る。パフォーマンスの理由のために、パイロットトーンの最小数は、１より大きくあり得る。例えば、４つのユーザ及び６４個の全てのトーン（例えば、６４点ＦＦＴ）を伴う２０ＭＨｚ送信に関して、各ユーザは、少なくとも２つのパイロットトーンを割り当てられ得る。４つのユーザの各々は、１２個のデータトーンを割り当てられもし得る。特定の実施形態において、少なくとも２つのパイロットトーンが、ユーザ毎に割り当てられ得るので、各受信局は、最小処理帯域幅（例えば、５ＭＨｚ又は別の帯域幅）を有し得る。例えば、最小処理帯域幅は、標準（例えば、８０２．１１標準）によって定義され得る。
【００３９】
[0048]図２乃至４において、各局がトーンの同じ数を割り当てられることが推測されることは、留意されるべきである。代替の実施形態において、１つの局は、他の局とは異なる数のトーンを割り当てられ得る。図２乃至４に示される特定の例からの逸脱が可能であることもまた留意されるべきである。例えば、図２乃至４は、ガードトーン及びＤＣトーンなどの「使用不可」トーンを例示しない、しかしそのようなトーンは、ＵＳＥＲ−１、ＵＳＥＲ−２、ＵＳＥＲ−３及びＵＳＥＲ−４部分の間でまき散らされ得る。
【００４０】
[0049]図５は、多元接続パケット（例えば、図１のパケット１６０）内のトーン割り当ての追加の例を例示するための図である。第１例のパケット５１０は、８０ＭＨｚに及び、４ｘシンボル持続時間（例えば、「標準」８０ＭＨｚ８０２．１１パケットと比べて４倍のトーンの数）を有する、４ユーザＯＦＤＭＡパケットである。図５において、レガシープリアンブルフィールドは、４つの２０ＭＨｚサブ帯域にわたって繰り返される。さらに、ＨＥＷ−ＳＩＧフィールドの部分は、最大限の８０ＭＨｚ（例えば、ＨＥＷ−ＳＩＧフィールドは、２０ＭＨｚの大きい塊内の周波数にわたって繰り返されなく、代わりに、異なる２０ＭＨｚの大きい塊内で異なるデータを有し得る。）を渡り得る。レガシープリアンブルフィールド及びＨＥＷ−ＳＩＧフィールドは、２５６点ＦＦＴを使用して処理され得る（例えば、２５６トーンを占有し得る）。ＵＳＥＲ−１、ＵＳＥＲ−２、ＵＳＥＲ−３及びＵＳＥＲ−４部分は、１０２４点ＦＦＴを使用して処理され得る（例えば、１０２４トーンを占有し得る）。パケット５１０において、各ユーザは、２３４個のデータトーンを割り当てられる。
【００４１】
[0050]第２例のパケット５２０は、８０ＭＨｚに及び、「ノーマル」シンボル持続時間を有する、４ユーザＯＦＤＭＡパケットである。パケット５２０において、ＵＳＥＲ−１、ＵＳＥＲ−２、ＵＳＥＲ−３及びＵＳＥＲ−４部分は、２５６点ＦＦＴを使用して処理され得（例えば、２５６トーンを占有し得る）、各ユーザは、５２個のデータトーンを割り当てられ得る。
【００４２】
[0051]第３例のパケット５３０は、８０ＭＨｚに及び、「ノーマル」シンボル持続時間を有する、３ユーザＯＦＤＭＡパケットである。パケット５３０において、ＵＳＥＲ−１、ＵＳＥＲ−２及びＵＳＥＲ−３部分は、２５６点ＦＦＴを使用して処理され得（例えば、２５６トーンを占有し得る）、各ユーザは、７８個のデータトーンを割り当てられ得る。
【００４３】
[0052]図５に例示されたトーンプランは、例のみのためであることに留意すべきである。代替の実施形態において、異なるトーンプランが使用され得る。一例において、２０ＭＨｚ全帯域幅及び４ユーザを伴う「ノーマル」シンボル持続時間の場合、ユーザ毎に１２個のデータトーン及びユーザ毎に２つのパイロットトーンが、ユーザ毎に５ＭＨｚ内に割り当てられ得る。２０ＭＨｚ全帯域幅及び４ユーザを伴う４ｘシンボル持続時間の場合、ユーザ毎に４つのパイロットトーンと５２個のデータトーンが割り当てられ得る。２０ＭＨｚ全帯域幅及び４ユーザを伴う２ｘシンボル持続時間の場合、３２点ＦＦＴ  ＩＥＥＥ８０２．１１  ａｈトーンプランが、各５ＭＨｚ幅内の各ユーザに対して使用され得る。
【００４４】
[0053]５ＭＨｚ周波数サブ帯域内のトーン割り当ては、ユーザ（例えば、宛先デバイス）へマルチプルな５ＭＨｚ周波数サブ帯域を割り当てることを、ソースデバイス（例えば、アクセスポイント）に可能にさせ得、５ＭＨｚ周波数サブ帯域ごとに独立復号化／符号化を有し得る。これは、干渉レベルが異なる５ＭＨｚ周波数サブ帯域に対して異なるとき、特に有益であり得る。したがって、ロングタームエボルーション（ＬＴＥ（登録商標））キャリアアグリゲーションと共通の特性を含むスキームは、ＨＥＷネットワークに対して選択的に実装され得る。ＬＴＥキャリアアグリゲーションにおいて、余分なガードトーンのオーバーヘッド損失は、受け入れ可能であり、又はガードトーンは、例えば、干渉推定のためのヌルトーンのように、他の目的のために使用され得る。
【００４５】
[0054]特定の実施形態において、無線標準（例えば、ＩＥＥＥ  ８０２．１１標準）は、選択するために、「許可された」トーンプランのセットを確立し得る。各許可されたトーンプランに関して、「最適な」インターリーバパラメータは、決定され、標準に組み込まれ得る。「最適な」又は所望のインターリーバパラメータを決定することは、難しくあり得るので、標準は、対応する「最適な」インターリーバパラメータが決定されている「許可された」トーンプランへトーンプランの選択を制限し得る。２進畳み込み符号（ＢＣＣ）インタリーバに関するインタリーバパラメータの例は、限定するものではないが、インタリーバ列の数（Ｎｒｏｗ）、インタリーバ行の数（Ｎｃｏｌ）、周波数回転(rotation)（Ｎｒｏｔ）を含む。低密度パリティ検査（ＬＤＰＣ）インタリーバに関するインターリーバパラメータの例は、トーンマッピング距離（Ｄｔｍ）を含む。
【００４６】
[0055]図６は、「既知の」インタリーバ６２０（例えば、最適なパラメータが既知のインタリーバ）に基づいて「未知の」インタリーバ６１０（例えば、「最適な」パラメータが未知のインタリーバ）に関する出力を自動的に生成する実施形態を例示し、一般に６００で指定される。
【００４７】
[0056]例示するために、既存のＩＥＥＥ  ８０２．１１標準（例えば、ＩＥＥＥ  ８０２．１１  ａ／ｎ／ａｃ／ａｆ／ａｈ）に基づいて、２４、４８、５２、１０８、２１６、２３４、４３２、及び４６８データトーンに関するインタリーバに関するパラメータは、既知であり得る。しかしながら、他のインタリーバに関するパラメータは、例えば、４ユーザの各々が１２個のデータトーンを割り当てられる、図２乃至４を参照して説明されるトーンプランを含み、未知であり得る。
【００４８】
[0057]説明された技術に従って、「未知の」インタリーバ６１０に関するインターリーバ出力は、「既知の」インタリーバ６２０に基づいて生成され得る。例として、「未知の」インタリーバ６１０は、Ｎ個のデータトーンをインタリーブするように構成され得る。図６において、Ｎ＝４０。上で説明されたように、４０トーンインタリーバに関するパラメータは、知られ得ない。４０トーンインタリーバを構築するために、Ｍトーンをインタリーブするように構成される既知のインタリーバは、識別され得、ここで、Ｍは、Ｎより大きいが、可能な限りＮに近い。例えば、図６において、Ｍ＝４８。
【００４９】
[0058]（図６において、１、２、３…４０で指定される）４０個のデータトーンを含むインタリーバ入力６０１は、４８トーンインタリーバ６２０へ入力され得る。Ｍ引くＮ（Ｍ−Ｎ）「ゼロデータ」トーン６０２（例えば、図６において８ゼロトーン）は、４８トーンインターリーバ６２０へ入力されもし得る。「ゼロデータ」トーンは、インタリーバ出力において容易に識別されることができるモデル化されたデータトーンであり得る。
【００５０】
[0059]４８トーンインターリーバ６２０は、インタリーバ出力６０３を生成し得、ここで、インタリーバ出力は、示されるように、４０個のデータトーンと８個のゼロデータトーンを含む。ゼロデータトーンは、「未知の」４０トーンインタリーバ６１０に対応するインタリーバ出力６０４を生成するために、６３０において、その後取り除かれ得る。インタリーバ出力６０４は、「最適な」ものではないかもしれないが、インタリーバ出力６０４は、ＨＥＷネットワークを介して信頼性のある通信を可能にするために十分にランダムであり得る。したがって、図６に説明された方法は、既知のインタリーバから未知のインタリーバを構築又はモデル化するために使用され得、それは、ＯＦＤＭＡ通信における使用に関して利用可能なトーンプランの数を増加させ得、及びそれは、適応性に各ユーザにデータトーンの任意の数を割り当てることを可能にさせうる。
【００５１】
[0060]特定の実施形態において、説明された技術に従って生成されたＯＦＤＭＡパケットは、ユーザ毎に１２、３６、７２、１２０、１５６又は３１２データトーンを含む波形を使用してる通信され得る。トーンプランの各々に対応するインタリーバパラメータは、図６の方法６００に従って送信デバイスによって動的に決定され得る。特定の実施形態において、ＨＥＷに関するトーンプラン設計基準は、全てのユーザ（例えば、２ユーザ、３ユーザ、４ユーザ等）がデータトーンの等しい又はほぼ等しい数を割り当てられる、少なくとも１つのトーンプランを有することを含み得る。トーンプラン設計基準は、できるだけ少ない数へ浪費される（例えば、割り当てられない）トーンを保持することをも含み得る。実施形態において、トーンプラン設計基準は、可能性の小さい数へ除外される（例えば、無効な）変調及び符号化スキーム（ＭＣＳｓ）を保持することをも含み得る。例示のために、使用されるエンコーダの数（Ｎ_ｅｓ）に対するシンボル毎の符号化されたビットの数（Ｎ_ｃｂｐｓ）の比が整数であるならば、ＭＣＳは、除外され得る。一例において、１２、３６及び７２個のデータトーンを有する説明されたトーンプランが、０個の除外されたＭＣＳを有し得る。１２０個のデータトーンを有するトーンプランは、２個の除外されたＭＣＳを有し、１５６個のデータトーンを有するトーンプランは、１個の除外されたＭＣＳを有し、及び３１２個のデータトーンを有するトーンプランは、４個又は６個の除外されたＭＣＳを有し得る。
【００５２】
[0061]図７は、図１のシステム１００における動作の方法７００の特定の実施形態を例示するための図である。例示的な実施形態では、方法７００は、図１のソースデバイス（例えば、アクセスポイント）１１０によって実行され得る。
【００５３】
[0062]方法７００は、７０２で、アクセスポイントにおいてデータパケットを生成することを含み得る。データパケットは、第１の宛先デバイスへ割り当てられるトーンの第１のセット、及び第２の宛先デバイスへ割り当てられるトーンの第２のセットを含む波形を使用して通信されるべきである。トーンの第１のセットは、トーンの第２のセットに関してオーバーラップしない。トーンの第１のセットの各トーン及びトーンの第２のセットの各トーンは、ＯＦＤＭＡトーンであり得る。例えば、図１において、ソースデバイス１１０は、パケット１６０を生成し得る。パケット１６０は、第１の宛先デバイス１２０へ割り当てられるトーンの第１のセット及び第２の宛先デバイス１３０へ割り当てられるトーンの第２のセットを含む波形を使用して通信され得、ここで、トーンの第１のセットは、トーンの第２のセットにオーバーラップしない。例示的な実施形態において、第１のセット及び／又は第２のセットの割り当てられたトーンは、周波数ホッピングを伴わずに局所化され（例えば、図２に示されるように）、周波数ホッピングを伴って局所化され（例えば、図３に示されるように）、又はインタリーブされ（例えば、図４に示されるように）得る。パケット１６０を通信するために使用される波形は、ユーザ毎パイロットトーン（例えば、図２乃至３に示されるように）を含み得、又は共通パイロットトーンを含み得る（例えば、図４に示されるように）。
【００５４】
[0063]方法７００は、７０４で、ＩＥＥＥ  ８０２．１１（例えば、ＨＥＷ）無線ネットワークを介してアクセスポイントから第１の宛先デバイスへデータパケットを送信すること、７０６で、ＩＥＥＥ  ８０２．１１無線ネットワークを介してアクセスポイントから第２の宛先デバイスへデータパケットを送信することをもまた含み得る。例えば、図１において、ソースデバイス１１０は、無線ネットワーク１５０を介して宛先デバイス１２０及び１３０へパケット１６０を送信し得る。第１の宛先デバイスへと第２の宛先デバイスへのデータパケットの送信は、個別のステップにおいて実行されるように、図７に例示されるが、これは、制限とみなすべきではないことに留意すべきである。図１に関して説明されるように、宛先デバイス１２０及び１３０へパケット１６０を送信することは、宛先デバイス１２０及び１３０の各々によって受信されるパケット１６０の単一のコピーの送信を介して実行され得る。
【００５５】
[0064]例において、方法７００は、７０８で、アクセスポイントにおいてアップリンク通信を受信することをさらに含み得る。アップリンク通信は、第１の宛先デバイスへ割り当てられたトーンの第１のセット及び第２の宛先デバイスへ割り当てられたトーンの第２のセットを含む第２の波形を使用して通信され得る。第２の波形のトーンの第１のセットは、第１の宛先デバイスによって送信されるデータを含み得、及び第２の波形のトーンの第２のセットは、第２の宛先デバイスによって送信されるデータを含み得る。したがって、本明細書で説明されるトーン割り当てプランは、アクセスポイントから宛先デバイス（複数を含む）へ並びに宛先デバイス（複数を含む）からアクセスポイントへの多元接続通信に関して使用され得る。
【００５６】
[0065]図８は、図１のシステムにおける動作の方法８００の別の特定の実施形態を例示するための図である。例示的な実施形態において、方法８００は、図１の宛先デバイス１２０によって実行され得る。
【００５７】
[0066]方法８００は、８０２で、無線ネットワークを介してアクセスポイントからデータパケットを、宛先デバイスにおいて受信することを含み得る。データパケットは、複数の宛先デバイスへ向けられたデータを含み得る。宛先デバイスの各々は、最小処理帯域幅（例えば、５ＭＨｚ）に関連付けられ得、無線ネットワークは、ＩＥＥＥ  ８０２．１１ネットワークであり得る。例えば、図１において、宛先デバイス１２０は、無線ネットワーク１５０を介してソースデバイス１１０からパケット１６０を受信し得る。
【００５８】
[0067]方法８００は、８０４で、データパケットのプリアンブルに基づいて、宛先デバイスへ割り当てられるデータトーンのセットを識別することをもまた含み得る。例示的な実施形態において、データトーンのセットは、図２乃至４を参照して説明されるように、データパケットのＨＥＷ−ＳＩＧフィールドに含まれるトーン割り当て情報に基づいて、識別され得る。
【００５９】
[0068]方法８００は、８０６で、宛先デバイスへ向けられたデータを決定するためにデータトーンの識別されたセットを処理することをさらに含み得る。例えば、図１において、宛先デバイス１２０は、宛先デバイス１２０へ向けられるパケット１６０においてデータを決定するためにデータトーンの識別されたセットを処理し得る。特定の実施形態において、局所化されたトーン割り当てが使用されるとき、宛先デバイス１２０は、トーンのその割り当てられたセットを識別することの後、低帯域幅処理へ切り替えることによって電力を節約する（例えば、宛先デバイスは、２０ＭＨｚ処理から５ＭＨｚ処理へ切り替わり得る。）。
【００６０】
[0069]図９は、トーン割り当てに関連付けられたインターリーバパラメータを決定する方法９００の特定の実施形態を例示するための図である。例示的な実施形態において、方法９００は、図１のデバイス１１０、１２０、１３０、又は１４０の何れかによって実行され得、図６を参照して例示され得る。
【００６１】
[0070]方法９００は、９０２で、Ｍ個のデータトーンをインターリーブするように構成された第２のインタリーバ（例えば、図６のインタリーバ６２０）に基づいて、Ｎ個のデータトーンをインタリーブするように構成された第１のインタリーバ（例えば、図６のインタリーバ６１０）の第１のインタリーバ出力を決定することを含む。Ｎ及びＭは、整数であり、Ｍは、Ｎより大きい。
【００６２】
[0071]第１のインタリーバ出力を決定することは、９０４で、第２のインタリーバ出力（例えば、インタリーバ出力６０３）を生成するための第２のインタリーバに、Ｎ個のデータトーン（例えば、入力６０１）及び（Ｍ−Ｎ）個のゼロデータトーン（例えば、ゼロデータトーン６０２）を入力することを含み得る。第１のインタリーバ出力を決定することは、９０６で、第１のインタリーバ出力（例えば、インタリーバ出力６０４）を生成するために第２のインタリーバ出力から（Ｍ−Ｎ）個のゼロデータトーンを取り除くことをも含み得る。
【００６３】
[0072]図１０を参照すると、無線通信デバイスの特定の例示的な実施形態のブロック図が描かれ、１０００で一般に指定される。デバイス１０００は、無線電子デバイスであり得、メモリ１０３２へ結合されたデジタルシグナルプロセッサ（ＤＳＰ）のような、プロセッサ１０１０を含み得る。例示的な実施形態において、デバイス１０００は、図１のデバイス１１０、１２０、１３０、又は１４０の内の１つであり得る。
【００６４】
[0073]プロセッサ１０１０は、メモリ１０３２に記憶されたソフトウェア１０６０（例えば、１つ又は複数の命令のプログラム）を実行するように構成され得る。追加に又は代替に、プロセッサ１０１０は、本明細書でさらに説明されるように、無線インターフェース１０４０のメモリ１０７４に記憶された１つ又は複数の命令を実行するように構成され得る。特定の実施形態において、プロセッサ１０１０は、図１乃至９を参照して説明される動作又は方法のうちの１つ又は複数に従って動作するように構成され得る。
【００６５】
[0074]無線インターフェース１０４０は、アンテナ１０４２を介して受信される無線データ及び無線インターフェース１０４０がプロセッサ１０１０へ提供され得るように、プロセッサ１０１０及びアンテナ１０４２へ結合され得る。例えば、無線インターフェース１０４０は、図１の無線インターフェース１１５又は図１の無線インターフェース１２５を含み又は対応し得る。無線インターフェース１０４０は、メモリ１０７４及びコントローラ１０７２を含み得る。メモリ１０７４は、トーンＯＦＤＭＡトーン割り当てパラメータ１０８０（例えば、図１のＯＦＤＭＡトーン割り当てパラメータ１１３又は１２３）を含み得る。特定の実施形態において、無線インターフェース１０４０は、それぞれ、アップリンク及びダウンリンク通信のために、変調器１０８６及び復調器１０８８をも含み得る。
【００６６】
[0075]コントローラ１０７２は、メモリ１０７４に記憶された１つ又は複数の命令を実行するためにプロセッサ１０１０とインターフェースするように構成され得る。コントローラ１０７２は、変調器１０８６及び／又は復調器１０８８を実行するために、プロセッサ１０１０とインタフェースするように構成されもし得る。追加にまたは代替に、コントローラ１０７２は、メモリ１０７４に記憶された命令の１つ又は複数を実行するように構成されたプロセッサを含み得る。無線インターフェース１０４０及び／又はプロセッサ１０１０は、ＦＦＴ及び逆ＦＦＴ（ＩＦＦＴ）動作を実行するように構成されもし得る。
【００６７】
[0076]特定の実施形態において、プロセッサ１０１０、ディスプレイコントローラ１０２６、メモリ１０３２、ＣＯＤＥＣ １０３４、および無線インターフェース１０４０は、システムインパッケージの、またはシステムオンチップの、デバイス１０２２に含まれる。特定の実施形態において、入力デバイス１０３０および電源１０４４が、システムオンチップデバイス１０２２に結合される。さらに、特定の実施形態において、図１０に例示されるように、ディスプレイ１０２８、入力デバイス１０３０、スピーカ１０３６、マイクロフォン１０３８、アンテナ１０４２、および電源１０４４は、システムオンチップデバイス１０２２の外部にある。しかしながら、ディスプレイ１０２８、入力デバイス１０３０、スピーカ１０３６、マイクロフォン１０３８、アンテナ１０４２、および電源１０４４の各々は、１つ又は複数のインタフェースまたはコントローラのような、システムオンチップデバイス１０２２の１つ又は複数のコンポーネントへ結合されることができる。
【００６８】
[0077]開示された実施形態の１つ又は複数は、通信デバイス、固定位置データユニット、モバイル位置データユニット、携帯電話、セルラー電話、衛星電話、コンピュータ、タブレット、ポータブルコンピュータ、またはデスクトップコンピュータを含み得るデバイス１０００のようなシステムまたは装置に実装され得る。さらに、デバイス１０００は、セットトップボックス、エンターテーメントユニット、ナビゲーションデバイス、携帯情報端末（ＰＤＡ）、モニタ、コンピュータモニタ、テレビジョン、チューナ、無線、衛星無線、音楽プレイヤー、デジタル音楽プレーヤ、ポータブル音楽プレイヤー、ビデオプレイヤー、デジタルビデオプレイヤー、デジタルビデオディスク（ＤＶＤ）プレイヤー、ポータブルデジタルビデオプレイヤー、データまたはコンピュータ命令を記憶または検索する任意の他のデバイス、またはそれらの組合せを含み得る。別の例示的、非限定的な例として、システムまたは装置は、携帯電話、ハンドヘルドパーソナル通信システム（ＰＣＳ）ユニットのような遠隔ユニット、パーソナルデータアシスタント、グローバル測位システム（ＧＰＳ）対応デバイス、ナビゲーションデバイスのようなポータブルデータユニット、メーター読取り機器のような固定位置データユニット、またはデータまたはコンピュータ命令を記憶または検索する任意の他のデバイス、または任意のそれらの組合せを含み得る。
【００６９】
[0078]図１乃至１０のうちの１つまたは複数は、本開示の教示にしたがって、システム、装置、および／または方法を示すが、本開示は、これらの実例となるシステム、装置、および／または方法に限定されない。本開示の実施形態は、メモリ、プロセッサ及びオンチップ回路を含む集積回路を含む任意のデバイスにおいて、適切に用いられ得る。
【００７０】
[0079]説明された実施形態とともに、装置は、アクセスポイントにおいてデータパケットを生成するための手段を含む。データパケットは、第１の宛先デバイスへ割り当てられるトーンの第１のセット及び第２の宛先デバイスへ割り当てられるトーンの第２のセットを含む波形を使用して通信されるべきである。トーンの第１のセットは、トーンの第２のセットに関してオーバーラップしない。トーンの第１のセットの各トーン及びトーンの第２のセットの各トーンは、ＯＦＤＭＡトーンである。例えば、データパケットを生成するための手段は、図１のプロセッサ１１１、パケット生成器１１４、図１０の変調器１０８６、コントローラ１０７２、プロセッサ１０１０、データパケットを生成するように構成された別のデバイス、又はそれらの任意の組合せを含み得る。装置は、ＩＥＥＥ  ８０２．１１無線ネットワークを介して、アクセスポイントから第１の宛先デバイス及び第２の宛先デバイスへデータパケットを送信するための手段も含み得る。例えば、送信するための手段は、図１の無線インターフェース１１５、図１０の無線インターフェース１０４０（又はこれらの構成要素）、アンテナ１０４２、データを送信するように構成された別のデバイス、又はそれらの任意の組合せを含み得る。
【００７１】
[0080]説明された実施形態とともに、装置は、ＩＥＥＥ  ８０２．１１無線ネットワークを介して、ソースデバイスからデータパケットを、宛先デバイスにおいて受信するための手段を含む。データパケットは、複数の宛先デバイスの各々へ向けられたデータを含む。例えば、受信するための手段は、図１の無線インターフェース１２５、図１０の無線インターフェース１０４０（又はそれらの構成要素）、アンテナ１０４２、データを受信するように構成された別のデバイス、又はそれらの任意の組合せを含み得る。装置は、データパケットのプリアンブルに基づいて、宛先デバイスへ割り当てられるデータトーンのセットを識別するための手段をも含む。例えば、識別するための手段は、図１のプロセッサ１２１、図１０の復調器１０８８、コントローラ１０７２、プロセッサ１０１０、データパケットのプリアンブルに基づいて、データトーンのセットを識別するように構成された別のデバイス、又はそれらの任意の組合せを含み得る。装置は、さらに、宛先デバイスへ向けられたデータを決定するためにデータトーンのセットを処理するための手段を含む。例えば、処理するための手段は、図１のプロセッサ１２１、図１０の復調器１０８８、コントローラ１０７２、プロセッサ１０１０、データトーンのセットを処理するように構成された別のデバイス、又はそれらの任意の組合せを含み得る。
【００７２】
[0081]当業者であれば、ここに開示された実施形態に関連して説明された多様な例示的な論理ブロック、構成、モジュール、回路、およびアルゴリズムステップは、電子ハードウェア、プロセッサによって実行されるコンピュータソフトウェア、または両方の組み合わせとして実装され得ることをさらに理解するであろう。多様な例示的な構成要素、ブロック、構成、モジュール、回路、およびステップは、それらの機能性の点で一般的に上述されている。このような機能性が、ハードウェアとして実装されるか、あるいはプロセッサによって実行可能な命令として実装されるかは、特定のアプリケーションおよびシステム全体に課せられる設計制約に依存する。当業者は、各特定のアプリケーションのために方式を変化させて、説明された機能性を実装し得るが、このような実装の決定は本開示の範囲からの逸脱をまねくものと解釈されるべきではない。
【００７３】
[0082]ここで開示された実施形態に関連して説明されたアルゴリズムまたは方法のステップは、直接ハードウェアにおいて、プロセッサによって実行されるソフトウェアモジュールにおいて、またはこれら２つの組み合わせにおいて、具現化（embodied）され得る。ソフトウェアモジュールは、ランダムアクセスメモリ（ＲＡＭ）、フラッシュメモリ、読み出し専用メモリ（ＲＯＭ）、プログラマブル読み出し専用メモリ（ＰＲＯＭ）、消去可能読み出し専用メモリ（ＥＰＲＯＭ）、電気的消去可能プログラマブル読み出し専用メモリ（ＥＥＰＲＯＭ（登録商標））、レジスタ、ハードディスク、リムーバブルディスク、コンパクトディスク読み出し専用メモリ（ＣＤ−ＲＯＭ）、あるいは当技術において周知であるその他任意の形状の非一時的な記憶媒体に存在し得る。例示的な記憶媒体は、プロセッサが、記憶媒体から情報を読み取り、および記憶媒体へ情報を書き込むことができるようなプロセッサに結合され得る。代替において、記憶媒体はプロセッサと一体化され得る。プロセッサと記憶媒体は、特定用途向け集積回路（ＡＳＩＣ）において存在し得る。ＡＳＩＣは、コンピューティングデバイスまたはユーザ端末内に存在し得る。代替例においては、プロセッサと記憶媒体は、コンピューティングデバイスまたはユーザ端末内に個別の構成要素として存在し得る。
【００７４】
[0083]開示された実施形態の前の説明は、開示された実施形態を作成または使用することを当業者に可能にするために提供される。これらの実施形態に対する様々な修正は、当業者にとって容易に明らかであり、ここに定義された原理は、本開示の範囲から逸脱することなく他の実施形態に応用されうる。したがって、本開示は、ここに開示された実施形態に限定されるようには意図されず、下記の特許請求の範囲によって定義されるような原理および新規な特徴と一致する最も広い範囲を与えられることとなる。
【図１】
2018198442.tif 000003
【図２】
2018198442.tif 000004
【図３】
2018198442.tif 000005
【図４】
2018198442.tif 000006
【図５】
2018198442.tif 000007
【図６】
2018198442.tif 000008
【図７】
2018198442.tif 000009
【図８】
2018198442.tif 000010
【図９】
2018198442.tif 000011
【図１０】
2018198442.tif 000012
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
アクセスポイントにおいてデータパケットを生成することと、ここにおいて、前記データパケットは、複数の宛先デバイスの各々へ割り当てられる、複数の周波数サブ帯域内のトーンを識別するように構成されたトーン割り当て情報を含むフィールドを含み、ここにおいて、前記データパケットは、前記複数の宛先デバイスのうちの第１の宛先デバイスへ割り当てられるトーンの第１のセット、及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える方法。
【請求項２】
トーンの前記第１のセットの各々のトーンは、前記複数の周波数サブ帯域のうちの第１の周波数サブ帯域内にあり、トーンの前記第２のセットの各々のトーンは、前記複数の周波数サブ帯域のうちの第２の周波数サブ帯域内にある、請求項１に記載の方法。
【請求項３】
トーンの前記第１のセットの第１のトーンは、前記複数の周波数サブ帯域のうちの第１の周波数サブ帯域内にあり、トーンの前記第１のセットの第２のトーンは、前記複数の周波数サブ帯域のうちの第２の周波数サブ帯域内にある、請求項１に記載の方法。
【請求項４】
前記データパケットは、ロング・トレーニング・フィールド及びショート・トレーニング・フィールドを含むプリアンブルを含む、請求項１に記載の方法。
【請求項５】
トーンの前記第１のセット及びトーンの前記第２のセットは、周波数バンドにわたってインタリーブされる、請求項１に記載の方法。
【請求項６】
前記アクセスポイントにおいてアップリンク通信を受信すること、ここにおいて、前記アップリンク通信は、前記第１の宛先デバイスへ割り当てられるトーンの前記第１のセット、及び、前記第２の宛先デバイスへ割り当てられるトーンの前記第２のセットを含む第２の波形を使用して通信され、ここにおいて、前記第２の波形のトーンの前記第１のセットは、前記第１の宛先デバイスによって送信されたデータを含み、及びここにおいて、前記第２の波形のトーンの前記第２のセットは、前記第２の宛先デバイスによって送信されたデータを含む、
をさらに備える、請求項１に記載の方法。
【請求項７】
トーンの前記第１のセットは、前記第１の宛先デバイスへ割り当てられたが、前記第２の宛先デバイスへは割り当てられない、第１のパイロットトーンを含み、トーンの前記第２のセットは、前記第２の宛先デバイスへ割り当てられたが、前記第１の宛先デバイスへは割り当てられない、第２パイロットトーンを含む、請求項１に記載の方法。
【請求項８】
少なくとも１つのパイロットトーンは、前記第１の宛先デバイス及び前記第２の宛先デバイスへ割り当てられる、請求項１に記載の方法。
【請求項９】
トーンの前記第１のセットは、前記第１の宛先デバイスへ割り当てられる少なくとも２つのパイロットトーン及び少なくとも１２個のデータトーンを含む、請求項１に記載の方法。
【請求項１０】
トーンの前記第１のセットは、前記第１の宛先デバイスへ割り当てられた、３６、７２、１２０、１５６、又は３１２個のデータトーンを含む、請求項１に記載の方法。
【請求項１１】
前記波形は、第３の宛先デバイスへ割り当てられる、トーンの第３のセットをさらに含み、ここにおいて、トーンの前記第３のセットは、トーンの前記第１のセット及びトーンの前記第２のセットについてオーバラップしない、請求項１に記載の方法。
【請求項１２】
前記波形は、第４の宛先デバイスへ割り当てられる、トーンの第４のセットをさらに含み、ここにおいて、トーンの前記第４のセットは、トーンの前記第１のセット、トーンの前記第２のセット、及びトーンの前記第３のセットについてオーバラップしない、請求項１１に記載の方法。
【請求項１３】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項１に記載の方法。
【請求項１４】
プロセッサと、
前記プロセッサによって実行された場合、前記プロセッサに動作を実行させる命令を記憶したメモリと、
を備え、前記動作は、
アクセスポイントにおいてデータパケットを生成することと、ここにおいて、前記データパケットは、複数の宛先デバイスの各々へ割り当てられる、複数の周波数サブ帯域内のトーンを識別するように構成されたトーン割り当て情報を含むフィールドを含み、ここにおいて、前記データパケットは、前記複数の宛先デバイスのうちの第１の宛先デバイスへ割り当てられるトーンの第１のセット及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える、装置。
【請求項１５】
前記データパケットの前記フィールドは、トーンの前記第１のセットが、前記第１の宛先デバイスへ割り当てられ、トーンの前記第２のセットが、前記第２の宛先デバイスへ割り当てられることを示す、請求項１４に記載の装置。
【請求項１６】
前記第１の宛先デバイス及び前記第２の宛先デバイスは、各々、最小処理帯域幅に関連付けられる、請求項１４に記載の装置。
【請求項１７】
前記最小処理帯域幅は、５メガヘルツ（ＭＨｚ）である、請求項１６に記載の装置。
【請求項１８】
トーンの前記第１のセットは、前記第１の宛先デバイスへ割り当てられる１２個のデータトーンを含む、請求項１４に記載の装置。
【請求項１９】
トーンの前記第１のセットは、前記第１の宛先デバイスへ割り当てられた２つのパイロットトーンを含む、請求項１４に記載の装置。
【請求項２０】
前記メモリは、前記データパケットの生成の間使用される少なくとも１つのトーン割り当てパラメータをさらに記憶する、請求項１４に記載の装置。
【請求項２１】
前記少なくとも１つのトーン割り当てパラメータは、どのデータトーンが前記第１の宛先デバイスへ割り当てられるべきであるかを示す、請求項２０に記載の装置。
【請求項２２】
前記少なくとも１つのトーン割り当てパラメータは、どのパイロットトーンが前記第１の宛先デバイスへ割り当てられるべきであるかを示す、請求項２０に記載の装置。
【請求項２３】
前記少なくとも１つのトーン割り当てパラメータは、パイロットトーンが前記第１の宛先デバイス及び前記第２の宛先デバイスへ割り当てられるべきものであることを示す、請求項２０に記載の装置。
【請求項２４】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項１４に記載の装置。
【請求項２５】
コンピュータによって実行されるとき、前記コンピュータに動作を実行させる命令を備える非一時的なコンピュータ可読記憶媒体であって、前記動作は、
アクセスポイントにおいてデータパケットを生成することと、ここにおいて、前記データパケットは、複数の宛先デバイスの各々へ割り当てられる、複数の周波数サブ帯域内のトーンを識別するように構成されたトーン割り当て情報を含むフィールドを含み、ここにおいて、前記データパケットは、前記複数の宛先デバイスのうちの第１の宛先デバイスへ割り当てられるトーンの第１のセット及び前記複数の宛先デバイスのうちの第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイスへ前記データパケットを送信することと、及び、
前記無線ネットワークを介して前記アクセスポイントから前記第２の宛先デバイスへ前記データパケットを送信することと
を備える、非一時的なコンピュータ可読記憶媒体。
【請求項２６】
トーンの前記第１のセットは、前記第１の宛先デバイスへ割り当てられる少なくとも２つのパイロットトーン及び少なくとも１２個のデータトーンを含む、請求項２５に記載の非一時的なコンピュータ可読記憶媒体。
【請求項２７】
トーンの前記第１のセットは、前記第１の宛先デバイスへ割り当てられた、３６、７２、１２０、１５６、又は３１２個のデータトーンを含む、請求項２５に記載の非一時的なコンピュータ可読記憶媒体。
【請求項２８】
前記複数の周波数サブ帯域の各々は、高効率Ｗｉ−Ｆｉショート・トレーニング・フィールド、及び高効率Ｗｉ−Ｆｉロング・トレーニング・フィールドを含む、請求項２５に記載の非一時的なコンピュータ可読記憶媒体。
【請求項２９】
アクセスポイントにおいてデータパケットを生成するための手段と、ここにおいて、前記データパケットは、複数の宛先デバイスの各々へ割り当てられる、複数の周波数サブ帯域内のトーンを識別するように構成されたトーン割り当て情報を含むフィールドを含み、ここにおいて、前記データパケットは、第１の宛先デバイスへ割り当てられるトーンの第１のセット、及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
無線ネットワークを介して前記アクセスポイントから前記第１の宛先デバイス及び前記第２の宛先デバイスへ前記データパケットを送信するための手段と
を備える、装置。
【請求項３０】
トーンの前記第１のセットは、前記第１の宛先デバイスへ割り当てられる１２個のデータトーンを含む、請求項２９に記載の装置。
【手続補正２】
【補正対象書類名】明細書
【補正対象項目名】００７４
【補正方法】変更
【補正の内容】
【００７４】
[0083]開示された実施形態の前の説明は、開示された実施形態を作成または使用することを当業者に可能にするために提供される。これらの実施形態に対する様々な修正は、当業者にとって容易に明らかであり、ここに定義された原理は、本開示の範囲から逸脱することなく他の実施形態に応用されうる。したがって、本開示は、ここに開示された実施形態に限定されるようには意図されず、下記の特許請求の範囲によって定義されるような原理および新規な特徴と一致する最も広い範囲を与えられることとなる。
以下に本願の出願当初の特許請求の範囲に記載された発明を付記する。
［Ｃ１］
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することとを備える方法。
［Ｃ２］
トーンの前記第１のセットの各々のトーンは、第１の周波数サブバンド内であり、トーンの前記第２のセットの各々のトーンは、第２の周波数サブバンド内である、Ｃ１に記載の方法。
［Ｃ３］
トーンの前記第１のセットの第１のトーンは、第１の周波数サブバンド内であり、トーンの前記第１のセットの第２のトーンは、第２の周波数サブバンド内である、Ｃ１に記載の方法。
［Ｃ４］
前記データパケットは、レガシー・プリアンブル及び高効率Ｗｉ−Ｆｉ（ＨＥＷ）プリアンブルを含み、前記レガシー・プリアンブルは、レガシー・ロング・トレーニング・フィールド（Ｌ−ＬＴＦ）、レガシー・ショート・トレーニング・フィールド（Ｌ−ＳＴＦ）、及びレガシー・シグナル（Ｌ−ＳＩＧ）フィールドを備え、ここにおいて、前記ＨＥＷプリアンブルは、高効率Ｗｉ−Ｆｉ  ＳＩＧ（ＨＥＷ−ＳＩＧ）フィールドを備える、Ｃ１に記載の方法。
［Ｃ５］
前記ＨＥＷ−ＳＩＧフィールドは、トーンの前記第１のセットが、前記第１の宛先デバイスへ割り当てられ、トーンの前記第２のセットが、前記第２の宛先デバイスへ割り当てられることを示す、Ｃ４に記載の方法。
［Ｃ６］
前記ＨＥＷプリアンブルは、前記第１の宛先デバイスへ対応する第１のＨＥＷ−ＳＴＦフィールド及び前記第２の宛先デバイスへ対応する第２のＨＥＷ−ＳＴＦフィールドをさらに備える、Ｃ４に記載の方法。
［Ｃ７］
前記ＨＥＷプリアンブルは、前記第１の宛先デバイスへ対応する第１のＨＥＷ−ＬＴＦフィールド及び前記第２の宛先デバイスへ対応する第２のＨＥＷ−ＬＴＦフィールドをさらに備える、Ｃ４に記載の方法。
［Ｃ８］
トーンの前記第１のセット及びトーンの前記第２のセットは、周波数バンドにわたってインタリーブされる、Ｃ１に記載の方法。
［Ｃ９］
前記アクセスポイントにおいてアップリンク通信を受信すること、ここにおいて、前記アップリンク通信は、前記第１の宛先デバイスへ割り当てられた、トーンの前記第１のセット、及び、前記第２の宛先デバイスへ割り当てられた、トーンの前記第２のセットを含む第２の波形を使用して通信され、ここにおいて、前記第２の波形のトーンの前記第１のセットは、前記第１の宛先デバイスによって送信されたデータを含み、およびここにおいて、前記第２の波形のトーンの前記第２のセットは、前記第２の宛先デバイスによって送信されたデータを含む、をさらに備える、Ｃ１に記載の方法。
［Ｃ１０］
トーンの前記第１のセットは、前記第１の宛先デバイスへ割り当てられたが、前記第２の宛先デバイスへは割り当てられない、第１のパイロットトーンを含み、トーンの前記第２のセットは、前記第２の宛先デバイスへ割り当てられたが、前記第１の宛先デバイスへは割り当てられない、第２パイロットトーンを含む、Ｃ１に記載の方法。
［Ｃ１１］
少なくとも１つのパイロットトーンは、前記第１の宛先デバイス及び前記第２の宛先デバイスへ割り当てられる、Ｃ１に記載の方法。
［Ｃ１２］
トーンの前記第１のセットは、前記第１の宛先デバイスへ割り当てられた少なくとも２つのパイロットトーン及び少なくとも１２個のデータトーンを含む、Ｃ１に記載の方法。
［Ｃ１３］
トーンの前記第１のセットは、前記第１の宛先デバイスへ割り当てられた、３６、７２、１２０、１５６、又は３１２個のデータトーンを含む、Ｃ１に記載の方法。
［Ｃ１４］
前記波形は、第３の宛先デバイスへ割り当てられる、トーンの第３のセットをさらに含み、ここにおいて、トーンの前記第３のセットは、トーンの前記第１のセット及びトーンの前記第２のセットについてオーバラップしない、Ｃ１に記載の方法。
［Ｃ１５］
前記波形は、第４の宛先デバイスへ割り当てられる、トーンの第４のセットをさらに含み、ここにおいて、トーンの前記第４のセットは、トーンの前記第１のセット、トーンの前記第２のセット、及びトーンの前記第３のセットについてオーバラップしない、Ｃ１４に記載の方法。
［Ｃ１６］
プロセッサと、
前記プロセッサによって実行された場合、前記プロセッサに動作を実行させる命令を記憶したメモリと、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することと
を備える、を備える装置。
［Ｃ１７］
前記データパケットのプリアンブルの高効率Ｗｉ−Ｆｉシグナル（ＨＥＷ−ＳＩＧ）フィールドは、トーンの前記第１のセットが、前記第１の宛先デバイスへ割り当てられ、トーンの前記第２のセットが、前記第２の宛先デバイスへ割り当てられることを示す、Ｃ１６に記載の装置。
［Ｃ１８］
前記第１の宛先デバイス及び前記第２の宛先デバイスは、各々、最小処理帯域幅に関連付けられる、Ｃ１６に記載の装置。
［Ｃ１９］
前記最小処理帯域幅は、５メガヘルツ（ＭＨｚ）である、Ｃ１８に記載の装置。
［Ｃ２０］
トーンの前記第１のセットは、前記第１の宛先デバイスへ割り当てられた１２個のデータトーンを含む、Ｃ１６に記載の装置。
［Ｃ２１］
トーンの前記第１のセットは、前記第１の宛先デバイスへ割り当てられた２つのパイロットトーンを含む、Ｃ１６に記載の装置。
［Ｃ２２］
前記メモリは、前記データパケットの生成の間使用される少なくとも１つのトーン割り当てパラメータをさらに記憶する、Ｃ１６に記載の装置。
［Ｃ２３］
前記少なくとも１つのトーン割り当てパラメータは、どのデータトーンが前記第１の宛先デバイスへ割り当てられるべきであるかを示す、Ｃ２２に記載の装置。
［Ｃ２４］
前記少なくとも１つのトーン割り当てパラメータは、どのパイロットトーンが前記第１の宛先デバイスへ割り当てられるべきであるかを示す、Ｃ２２に記載の装置。
［Ｃ２５］
前記少なくとも１つのトーン割り当てパラメータは、パイロットトーンが前記第１の宛先デバイス及び前記第２の宛先デバイスへ割り当てられるべきものであることを示す、Ｃ２２に記載の装置。
［Ｃ２６］
コンピュータによって実行されるとき、前記コンピュータに動作を実行させる命令を備える非一時的なコンピュータ可読媒体であって、前記動作は、
アクセスポイントにおいてデータパケットを生成することと、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイスへ前記データパケットを送信することと、及び、
前記ＩＥＥＥ８０２．１１無線ネットワークを介して前記アクセスポイントから前記第２の宛先デバイスへ前記データパケットを送信することとを備える、非一時的なコンピュータ可読媒体。
［Ｃ２７］
トーンの前記第１のセットは、前記第１の宛先デバイスへ割り当てられる少なくとも２つのパイロットトーン及び少なくとも１２個のデータトーンを含む、Ｃ２６に記載の非一時的なコンピュータ可読媒体。
［Ｃ２８］
トーンの前記第１のセットは、前記第１の宛先デバイスへ割り当てられた、３６、７２、１２０、１５６、又は３１２個のデータトーンを含む、Ｃ２６に記載の非一時的なコンピュータ可読媒体。
［Ｃ２９］
アクセスポイントにおいてデータパケットを生成するための手段と、ここにおいて、前記データパケットは、第１の宛先デバイスへ割り当てられるトーンの第１のセット及び第２の宛先デバイスへ割り当てられるトーンの第２のセットを含む波形を使用して通信されるべきものであり、ここにおいて、トーンの前記第１のセットは、トーンの前記第２のセットについてオーバラップせず、及びここにおいて、トーンの前記第１のセットの各々のトーン及びトーンの前記第２のセットの各々のトーンは、直交周波数分割多元接続（ＯＦＤＭＡ）トーンである、
電気電子技術者協会（ＩＥＥＥ）８０２．１１無線ネットワークを介して前記アクセスポイントから前記第１の宛先デバイス及び前記第２の宛先デバイスへ前記データパケットを送信するための手段とを備える、装置。
［Ｃ３０］
トーンの前記第１のセットは、前記第１の宛先デバイスへ割り当てられる１２個のデータトーンを含む、Ｃ２９に記載の装置。
【外国語明細書】
2018198442000001.pdf